(57)【特許請求の範囲】
【請求項１】
釣糸に装着された浮止具が当該釣糸と共に挿通され得る所定内径のライン挿通孔を有する浮子本体と、
上記ライン挿通孔の内径寸法に対応する外径を有する栓状部を備え、当該栓状部が上記ライン挿通孔に嵌め込まれることによって当該ライン挿通孔の壁面との間で上記釣糸を囲繞して当該釣糸の自由な挿通を許容すると共に上記浮止具の挿通を規制する浮子補助具とを備えた釣用浮子であって、
上記栓状部は、軸方向に沿って貫通し且つ径方向に開口した溝を有すると共に、上記栓状部の先端部の外周面に、径方向外側に向かって突出して上記ライン挿通孔の壁面に係合する爪部が設けられており、
上記ライン挿通孔を縮径することにより縮径段部を形成する縮径リングが当該ライン挿通孔の端部に設けられ、
上記栓状部の先端部は、弾性変形することにより上記縮径リングに挿入され且つ当該先端部が上記縮径リングを貫通して当該弾性変形が復帰することにより上記爪部が上記縮径段部に係合するように、薄肉に形成されており、
上記爪部は、上記栓状部の先端部の外周面と平行な面を有する頂部及び当該頂部の両端から上記先端部の外周面に連続する一対の傾斜面を有する台形状に形成されている釣用浮子。
【請求項２】
上記栓状部は、その基端部に当該栓状部の外径寸法よりも大きい外径寸法を有する指掛部を備えている請求項１に記載の釣用浮子。
【請求項３】
上記指掛部は、当該浮子補助具を上記ライン挿通孔から脱抜するための治具が係合される治具係止部を備えている請求項２に記載の釣用浮子。
【請求項４】
上記治具係止部は、上記指掛部に貫通形成された係合孔からなる請求項３に記載の釣用浮子。
【請求項５】
釣糸に装着された浮止具が当該釣糸と共に挿通され得る所定内径のライン挿通孔及び当該ライン挿通孔の端部に設けられ、当該ライン挿通孔を縮径することにより縮径段部を形成する縮径リングを有する浮子本体を備えた釣用浮子に着脱され、上記ライン挿通孔の内径寸法に対応する外径寸法を有する栓状部を備え、当該栓状部が上記ライン挿通孔に嵌め込まれることによって当該ライン挿通孔の壁面との間で上記釣糸を囲繞して当該釣糸の自由な挿通を許容すると共に上記浮止具の挿通を規制する浮子補助具であって、
上記栓状部は、軸方向に沿って貫通し且つ径方向に開口した溝を有すると共に、上記栓状部の先端部の外周面に、径方向外側に向かって突出して上記ライン挿通孔の壁面に係合する爪部が設けられており、
上記栓状部の先端部は、弾性変形することにより上記縮径リングに挿入され且つ当該先端部が上記縮径リングを貫通して当該弾性変形が復帰することにより上記爪部が上記縮径段部に係合するように、薄肉に形成されており、
上記爪部は、上記栓状部の先端部の外周面と平行な面を有する頂部及び当該頂部の両端から上記先端部の外周面に連続する一対の傾斜面を有する台形状に形成されている浮子補助具。
【請求項６】
上記栓状部は、その基端部に当該栓状部の外径寸法よりも大きい外径寸法を有する指掛部を備えている請求項５に記載の浮子補助具。
【請求項７】
上記指掛部は、当該浮子補助具を上記ライン挿通孔から脱抜するための治具が係合される治具係止部を備えている請求項６に記載の浮子補助具。
【請求項８】
上記治具係止部は、上記指掛部に貫通形成された係合孔からなる請求項７に記載の浮子補助具。
【発明の詳細な説明】
【技術分野】
【０００１】
本発明は、魚釣りに使用される浮子及びこれに適用される浮子補助具の構造に関するものである。
【背景技術】
【０００２】
磯釣りにおいては、「浮子フカセ釣り」と称されるジャンルがある。浮子フカセ釣りは、海中の流れを利用する釣法である。釣人は、浮子が取り付けられた軽量の仕掛けを海中の流れに乗せて自然な状態で流すことにより、当該海中の流れの中を泳ぐ魚のバイトを期待するものである。
【０００３】
図６は、従来の浮子フカセ釣りの仕掛けを模式的に示す図である。浮子フカセ釣りでは、同図が示すような仕掛けが採用される。具体的には、釣竿２に沿って案内された釣糸３に浮子１が装着される。この浮子１は、いわゆる中通しタイプである（例えば、特許文献１〜特許文献５参照）。浮子１は、一般に略紡錘形に形成され、その軸方向にライン挿通孔が設けられている。釣糸３は、このライン挿通孔に挿通されている。釣糸３の先端部には、サルカンと称される連結具４を介してハリス５が連結される。このハリス５の先端に釣針６が結び付けられている。また、釣糸３の所定位置には、浮止具７が取り付けられている。この浮止具７は、釣針６、ハリス５及び釣糸３等が水中に潜行していくことによって、相対的に浮子１に近接し当接する。これにより、仕掛けが水中に投入された際の、釣針６の水中での位置（一般に「タナ」と称される。）が決定されることになる。
【０００４】
図７は、上記仕掛けが海中に投入された状態を模式的に示す図である。上記浮子１は、海中に投入された状態で所定の浮力を有し、これにより、海面８に浮かぶことになる。さらに、仕掛けが海中で安定的に配置されるために、ハリス３に錘９（通常「ガン玉」と称される。）が適宜装着される場合もある。このように構成された仕掛けが海中に投入されると、釣針６、ハリス５、ガン玉９、サルカン４等に作用する重力によって釣針４等が海中に沈んでいき、釣糸３が海面８に浮かんだ浮子１に対して相対的に矢印１０の方向に沿ってスライドする。そして、図８が示すように、釣糸３に設けられた浮止具７が浮子１に当接した時点で、当該仕掛けが海中で安定する。
【０００５】
ところで、海上の状況は刻々と変化し、場合によっては潮流が速くなったり風が強くなったりすることもある。図９は、潮流が速くなったときの仕掛けの状態を示す模式図である。同図が示すように、潮流が速い場合は、これによって仕掛け全体が潮流の方向（矢印１１の方向）に流される。しかも、釣糸３は、釣竿側に延びているから、釣糸３が相対的に釣竿側に引っ張られる。その結果、この仕掛けは、海面８側に引っ張り上げられた状態で潮流方向に流されていく。このような状態は、海上の風が強くなり、風によって釣糸３が引っ張れた場合にも同様に生じる。上記仕掛けが海面８側に引っ張り上げられると、釣針６も海面８付近に漂う状態となるから、もはや魚のバイトは期待されない。
【０００６】
この問題が解決されるために、図１０が示すような釣用浮子１２が提案されている（例えば、特許文献６参照）。同図が示すように、この釣用浮子１２では、浮子本体１３に設けられたライン挿通孔１４にフランジ部材１５が嵌め込まれている。前述のように仕掛けが海中に沈むと、釣糸３に取り付けられた浮止具７は、浮子本体１３の上方からフランジ部材１５を経てライン挿通孔１４内に進入する。このライン挿通孔１４の下端部１６は縮径されている。そのため、浮止具７は、常時においては当該下端部１６に当接し、上記タナが決定される。そして、同図が示すように、海上の風の影響等により釣糸３が当該浮子本体１３の内部から上方に引っ張られた場合には、上記浮止具７が上記フランジ部材１５に当接する。これにより、釣糸３が釣竿側に引っ張り出されることはなく、上記タナが保持される。
【０００７】
【特許文献１】特開２００１−３０９７３９号公報
【特許文献２】特開２０００−２８７５９３号公報
【特許文献３】特開２０００−１２５７２９号公報
【特許文献４】特開２０００−６０３８３号公報
【特許文献５】特開平１１−１８６４７号公報
【特許文献６】特開２００４−２１５６５２号公報
【発明の開示】
【発明が解決しようとする課題】
【０００８】
また、浮子フカセ釣りでは、釣人は、海上の波、風、潮流速度、水温等の変化に応じて意図的に上記タナを設定しないこともある。そのような場合には、上記浮止具７が取り外される。浮止具７が取り外されれば、上記タナが設定されることはなく、上記仕掛けは際限なく海中に潜行する。なお、実釣において、上記タナが設定される釣法は「半遊動釣法」と称され、上記タナが設定されない釣法を「全遊動釣法」と称されることがある。
【０００９】
ところが、上記釣糸３から浮止具７のみを取り外す作業は一般に容易ではなく、そのため、釣人は、一旦釣糸３を切断し、その端部を再び上記サルカン４に結びつけていた。しかしながら、実釣において釣糸３を切断して再び上記サルカン４に結びつける作業は、釣人にとってきわめて煩わしい。さらに、海上の状態が変化すれば、釣人は、一旦取り外した浮止具を再び取り付け、所要のタナを設定しなければならない場合もある。しかも、この浮止具を取り付ける作業は、浮止具が例えば糸部材からなるときは、これを釣糸３に結びつける作業が必要であり、また、浮止具が例えばゴム管等からなるときは、釣糸３が一旦切断されたうえでこの浮止具が釣糸３に取り付けられなければならず、いずれにしても釣人にとって非常に煩わしいものであった。
【００１０】
本発明は、かかる背景のもとになされたものであり、その主目的は、釣糸を切断することなく、ワンタッチで半遊動釣法にも全遊動釣法にも適合することができる釣用浮子を提供することである。
【課題を解決するための手段】
【００１１】
(1) 上記目的が達成されるため、本発明に係る釣用浮子は、釣糸に装着された浮止具が当該釣糸と共に挿通され得る所定内径のライン挿通孔を有する浮子本体と、上記ライン挿通孔の内径寸法に対応する外径を有する栓状部を備え、当該栓状部が上記ライン挿通孔に嵌め込まれることによって当該ライン挿通孔の壁面との間で上記釣糸を囲繞して当該釣糸の自由な挿通を許容すると共に上記浮止具の挿通を規制する浮子補助具とを備えた釣用浮子である。上記栓状部は、軸方向に沿って貫通し且つ径方向に開口した溝を有する。また、上記栓状部の先端部の外周面に、径方向外側に向かって突出して上記ライン挿通孔の壁面に係合する爪部が設けられている。上記ライン挿通孔を縮径することにより縮径段部を形成する縮径リングが当該ライン挿通孔の端部に設けられている。上記栓状部の先端部は、弾性変形することにより上記縮径リングに挿入され且つ当該先端部が上記縮径リングを貫通して当該弾性変形が復帰することにより上記爪部が上記縮径段部に係合するように、薄肉に形成されている。上記爪部は、上記栓状部の先端部の外周面と平行な面を有する頂部及び当該頂部の両端から上記先端部の外周面に連続する一対の傾斜面を有する台形状に形成されている。
【００１２】
この構成によれば、浮止具が釣糸に装着されていても、当該釣糸は、浮子本体のライン挿通孔を自由に挿通することができる。つまり、この浮子本体は、釣糸に浮止具が装着されていても全遊動釣法に適合する。また、釣糸は、浮子補助具の栓状部に対して径方向に移動されることにより、当該栓状部に設けられた開口から当該栓状部の溝に挿入される。この状態で、当該栓状部が上記ライン挿通孔に嵌め込まれると、上記ライン挿通孔の壁面が上記溝の開口を閉塞するので、上記釣糸は、当該浮子補助具と上記ライン挿通孔の壁面とにより囲繞され、上記溝から外れることはない。上記浮止具は、上記浮子補助具を挿通することができない。つまり、上記浮子補助具が上記浮子本体に取り付けられることにより、この釣用浮子は、半遊動釣法に適合する。
【００１３】
また、上記浮子補助具が浮子本体に嵌め込まれた状態で、上記爪部が上記ライン挿通孔に係合する。具体的には、上記爪部は、径方向内側に弾性変形しつつ上記ライン挿通孔内に挿入され、この爪部が上記縮径段部に到達したときに、当該爪部の弾性変形が復帰し、当該縮径段部に係合する。しかも、上記爪部が上記台形状を呈するから、上記浮子補助具の挿抜の際に上記傾斜面が案内面として機能する。つまり、上記浮子補助具の挿抜作業が容易である。
【００１４】
(2) 上記栓状部は、その基端部に当該栓状部の外径寸法よりも大きい外径寸法を有する指掛部を備えているのが好ましい。釣人は、この指掛部を把持して簡単に浮子補助具を浮子本体に着脱することができる。
【００１５】
(3) 上記指掛部は、当該浮子補助具を上記ライン挿通孔から脱抜するための治具が係合される治具係止部を備えているのが好ましい。釣人は、治具を用いて浮子補助具を浮子本体から取り外すことができる。したがって、浮子補助具を浮子本体に取り外す作業が一層簡単になる。
【００１６】
(4) 上記治具係止部は、上記指掛部に貫通形成された係合孔から構成され得る。これにより、治具係止部の構造がきわめて簡単であるという利点がある。
【００１７】
(5) また、上記目的が達成されるため、本発明に係る浮子補助具は、釣糸に装着された浮止具が当該釣糸と共に挿通され得る所定内径のライン挿通孔及び当該ライン挿通孔の端部に設けられ、当該ライン挿通孔を縮径することにより縮径段部を形成する縮径リングを有する浮子本体を備えた釣用浮子に着脱されるものである。この浮子補助具は、上記ライン挿通孔の内径寸法に対応する外径寸法を有する栓状部を備え、当該栓状部が上記ライン挿通孔に嵌め込まれることによって当該ライン挿通孔の壁面との間で上記釣糸を囲繞して当該釣糸の自由な挿通を許容すると共に上記浮止具の挿通を規制するように形成されている。上記栓状部は、軸方向に沿って貫通し且つ径方向に開口した溝を有する。また、この栓状部の先端部の外周面に、径方向外側に向かって突出して上記ライン挿通孔の壁面に係合する爪部が設けられている。上記栓状部の先端部は、弾性変形することにより上記縮径リングに挿入され且つ当該先端部が上記縮径リングを貫通して当該弾性変形が復帰することにより上記爪部が上記縮径段部に係合するように、薄肉に形成されている。上記爪部は、上記栓状部の先端部の外周面と平行な面を有する頂部及び当該頂部の両端から上記先端部の外周面に連続する一対の傾斜面を有する台形状に形成されている。
【００１８】
この浮子補助具が上記浮子本体に装着されていないときは、当該浮子本体は、浮止具が釣糸に装着されていても、当該釣糸が当該浮子本体のライン挿通孔を自由に挿通することを許容する。つまり、この釣用浮子は、釣糸に浮止具が装着されていても全遊動釣法に適合する。また、この浮子補助具が上記浮子本体のライン挿通孔に嵌め込まれると、この浮子補助具は、上記ライン挿通孔の壁面との間で上記釣糸を囲繞する。具体的には、釣糸は、浮子補助具の栓状部に対して径方向に移動されることにより、当該栓状部に設けられた開口から当該栓状部の溝に挿入される。この状態で、当該栓状部が上記ライン挿通孔に嵌め込まれると、上記ライン挿通孔の壁面が上記溝の開口を閉塞するので、上記釣糸は、当該浮子補助具と上記ライン挿通孔の壁面とにより囲繞され、上記溝から外れることはない。これにより、当該釣糸は当該ライン挿通孔を自由に挿通することが可能であるが、上記浮止具は、この浮子補助具を挿通することができない。つまり、この浮子補助具が上記浮子本体に取り付けられることにより、この釣用浮子は、半遊動釣法に適合する。
【００１９】
また、上記浮子補助具が浮子本体に嵌め込まれた状態で、上記爪部が上記ライン挿通孔に係合する。具体的には、上記爪部は、径方向内側に弾性変形しつつ上記ライン挿通孔内に挿入され、この爪部が上記縮径段部に到達したときに、当該爪部の弾性変形が復帰し、当該縮径段部に係合する。しかも、上記爪部が上記台形状を呈するから、上記浮子補助具の挿抜の際に上記傾斜面が案内面として機能する。つまり、上記浮子補助具の挿抜作業が容易である。
【００２０】
(6)上記栓状部は、その基端部に当該栓状部の外径寸法よりも大きい外径寸法を有する指掛部を備えているのが好ましい。釣人は、この指掛部を把持して簡単に浮子補助具を浮子本体に着脱することができる。
【００２１】
(7)上記指掛部は、当該浮子補助具を上記ライン挿通孔から脱抜するための治具が係合される治具係止部を備えているのが好ましい。釣人は、治具を用いて浮子補助具を浮子本体から取り外すことができる。したがって、浮子補助具を浮子本体に取り外す作業が一層簡単になる。
【００２２】
(8)上記治具係止部は、上記指掛部に貫通形成された係合孔から構成され得る。これにより、治具係止部の構造がきわめて簡単であるという利点がある。
【発明の効果】
【００２３】
本発明によれば、浮子本体に浮子補助具が着脱されるだけで、当該釣用浮子が全遊動釣法又は半遊動釣法に適合する。したがって、釣人は、実釣において、釣糸を切断することなく、簡単且つ迅速に仕掛けを全遊動タイプ又は半遊動タイプに切り換えることができる。
【発明を実施するための最良の形態】
【００２４】
以下、適宜図面が参照されつつ、好ましい実施形態に基づいて本発明が詳細に説明される。
【００２５】
図１は、本発明の一実施形態に係る釣用浮子の構造を示す一部断面分解図である。
【００２６】
この釣用浮子２０は、例えば磯における浮子フカセ釣りに使用されるものであって、いわゆる中通しタイプである。釣用浮子２０は、浮子本体２１と、これに着脱される浮子補助具２２とを備えている。本実施形態に係る釣用浮子２０の特徴とするところは、上記浮子補助具２２が備えられている点であり、この浮子補助具２２が浮子本体２１に着脱されることにより、この釣用浮子２０が半遊動釣法にも全遊動釣法にも適合することが出来るようになっている。
【００２７】
浮子本体２１は、コア部２３と、浮力調整錘２４と、縮径リング２５と、フランジ２６とを備えている。
【００２８】
コア部２３は、木材や樹脂等により構成され得る。コア部２３は、略紡錘形を呈しており、その外周面は滑らかな曲面に形成されている。コア部２３が略紡錘形に形成されることにより、水面に浮いている浮子本体２１が水中に潜行する際の抵抗が小さくなる。もっとも、コア部２３の外形形状は、略紡錘形のほか、円錐形等さまざまな形状が採用され得ることは勿論である。
【００２９】
浮力調整錘２４は、コア部２３の下端部に設けられている。この浮力調整錘２４は、例えば鉛からなり、所定の重量に設定されている。これにより、浮子本体２１が水中に投入されたときの当該浮子本体２１の浮力が決定されている。したがって、浮力調整錘２４の重量が変更されることにより、浮子本体２１浮力が変更される。本実施形態では、この浮力調整錘２４は、滑らかな円錐形に形成されており、当該浮力調整錘２４の外周面がコア部２３の下端部の外形を形成している。もっとも、この浮力調整錘２４がコア部２３の下部に埋設されていてもよい。
【００３０】
この浮子本体２１は、その軸方向（同図では上下方向）にライン挿通孔２７が設けられている。このライン挿通孔２７は、上記釣糸が挿通されるようになっており、軸方向に沿って真っ直ぐに形成されている。このライン挿通孔２７の内径寸法は、３．５ｍｍ〜４．５ｍｍに設定され得る。このため、上記釣糸はライン挿通孔２７を自由に挿通することができるし、また、当該釣糸に浮止具が装着されている場合には、当該浮止具が当該釣糸と共にライン挿通孔２７を自由に挿通することができる。したがって、この浮止具が釣糸に装着されていても、この浮子本体２１は、釣糸に対して自由にスライドすることができ、いわゆる全遊動釣法に適合する。なお、上記浮止具とは、釣糸に装着され、釣糸に対する釣用浮子の相対的位置を決定するものであって、典型的には、ナイロン糸や綿糸等が採用され、これが釣糸に結びつけられる。また、浮止具として、釣糸に装着されるゴム製のチューブも採用され得る。
【００３１】
縮径リング２５は、ライン挿通孔２７の下端部に嵌め込まれている。縮径リング２５は、例えば樹脂や真鍮その他の金属からなり、円筒状に形成されている。縮径リング２５の外径寸法は、ライン挿通孔２７の内径寸法より大きく設定されている。縮径リング２５の内径寸法は、ライン挿通孔２７の内径寸法よりも小さく設定されており、このため、縮径リング２５の端面とライン挿通孔２７の壁面との間に段部２８（縮径段部）が形成されている。この縮径リング２５の内径寸法は、本実施形態では、２．０ｍｍに設定されている。このため、上記浮止具が上記釣糸と共に縮径リング２５を自由に挿通することができる。ただし、上記浮止具が上記釣糸と共に縮径リング２５を自由に挿通することができるのであれば、縮径リング２５の内径寸法は、０．５ｍｍ〜３．０ｍｍの範囲で適宜設定され得る。なお、上記段部２８が形成されているのであれば、縮径リング２５の外径寸法がライン挿通孔２７の内径寸法より大きく設定されていなくてもよい。
【００３２】
フランジ２６は、ライン挿通孔２７の上端部に嵌め込まれている。このフランジ２６は、円形リング状に形成されており、中央に貫通孔２９が設けられている。この貫通孔２９の内径寸法は、２．０ｍｍ〜３．０ｍｍに設定され得る。これにより、フランジ２６は、上記浮止具が装着された釣糸がライン挿通孔２７に挿通されたときに、当該浮止具を所定の保持力で保持する仮止部材として機能する。詳述すると、上記貫通孔２９の内径寸法が上記寸法に設定されることから、釣糸に浮止具が装着されていても当該浮止具は上記貫通孔２９を通り抜けてライン挿通孔２７内に進入することができる。ところが、実釣において風が強い場合等では、釣糸が風によって引っ張られることにより、上記浮止具がライン挿通孔２７から上方に移動する。このとき、この浮止具がフランジ２６に引っ掛かり、仮止めされる。したがって、実釣中に、釣人が意図しないタナの変化が発生することがない。ただし、釣糸が強く引っ張れると（例えば、釣人が意図的に釣糸を引っ張った場合等）、浮止具は、上記貫通孔２９を通り抜けてライン挿通孔２７から退出する。なお、このフランジ２６は省略されていてもよい。
【００３３】
図２は、浮子補助具２２の斜視図である。また、図３は図２におけるIII −矢視図、図４は図２におけるIV−矢視図、図５は、図２におけるV− 拡大矢視図である。
【００３４】
図１及び図２が示すように、浮子補助具２２は、栓状部３０とこれに設けられた指掛部３１とを備えている。この栓状部３０及び指掛部３１は、樹脂又は金属により一体的に構成され得る。ただし、この浮子補助具２２を構成する樹脂としては、ポリプロピレン（ＰＰ）やアクリロニトリルブタジエンスチレン共重合体（ＡＢＳ樹脂）等が好適である。
【００３５】
図２及び図３が示すように、栓状部３０は、円柱状の部材が軸方向に平行な仮想平面で切断された形状を呈している。すなわち、栓状部３０は、円弧状の周面３２及びこれに連続する平坦面３３を有する真直な部材であって、断面形状が略Ｄ形に形成されている。
【００３６】
また、この栓状部３０の先端部３４は、上記軸方向に平行な他の仮想平面で切断された形状を呈しており、円弧状の外周面３５及びこれに連続する平坦面３６が形成されている。これにより、栓状部３０の先端部３４は、当該先端部３４以外の部分よりも薄肉に形成されている。さらに、この先端部３４の外周面３５に爪部３７（係合部）が設けられている。この爪部３７は、図１が示すように、浮子補助具２２が浮子本体２１に嵌め込まれたときに、上記ライン挿通孔２７の壁面３８に係合するようになっている。
【００３７】
この爪部３７は、図５が示すように、上記先端部３の外周面３５に一体的に形成され、栓状部３０の径方向外側に向かって突出している。この爪部３７の高さ寸法ｈ（径方向外側への突出寸法）は、０．２ｍｍ〜０．５ｍｍの範囲で適宜設定され得る。特に本実施形態では、この寸法ｈは、０．３ｍｍに設定されている。また、この爪部３７の頂部３９は平面に形成されており、この平面部分の寸法ａは、０．３ｍｍ〜０．８ｍｍの範囲で適宜設定され得る。特に本実施形態では、この寸法ａは、０．５ｍｍに設定されている。
【００３８】
上記先端部３４が薄肉に形成されることによる作用効果、及び上記爪部３７が設けられることによる作用効果については後に詳述される。
【００３９】
図２及び図４が示すように、指掛部３１は、上記栓状部３０の基端部に設けられている。この指掛部３１は、略円柱状に形成されている。指掛部３１の外径寸法は、上記栓状部３０の外径寸法よりも大きく設定されている。これにより、釣人は、この浮子補助具２２を容易に把持することができる。なお、この指掛部３１の周面４０にローレットが形成されていてもよい。これにより、釣人が浮子補助具２２を摘む際に手の滑りが防止される。また、指掛部３１に係合孔４３（治具係止部）が設けられている。この係合孔４３は、円形の孔であって、指掛部３１を径方向に貫通している。この係合孔４３は、例えば、浮子本体２１に浮子補助具２２が嵌め込まれている状態で、この浮子補助具２２を浮子本体２１から脱抜するための治具ないし工具が係合される。
【００４０】
この栓状部３０は、軸方向に沿って溝４１が設けられている。この溝４１は、図２ないし図４が示すように、当該栓状部３０の中心を通り、軸方向に貫通するように形成されている。また、この溝４１は、栓状部３０の径方向に開口している。すなわち、この溝４１は、栓状部３０がその側方から切り込まれることにより構成されており、そのため、上記平坦面３３及び指掛部３１の周面４０に開口４２が形成されている。本実施形態では、この溝４１の幅寸法ｄは、０．８ｍｍに設定されている。ただし、この幅寸法ｄは、０．５ｍｍ〜１．５ｍｍの範囲で適宜設定され得る。要するに、この幅寸法ｄは、上記釣糸が自由に挿通することができるが、上記浮止具の自由な挿通が規制される寸法に設定される。
【００４１】
なお、栓状部３０の先端部３４には溝４１が形成されていないが、これは、図５が示すように、当該先端部３４の肉厚寸法が小さく設定されているために、溝４１の底４４と当該先端部３４の平坦面３６とが一致しているからであり、仮に当該先端部３４の肉厚寸法が大きく設定されていれば、この先端部３４にも溝４１が形成されることになる。
【００４２】
本実施形態に係る釣用浮子２０は、次のように使用される。
【００４３】
釣人は、浮止具が装着された釣糸を図１において上方からライン挿通孔２７に挿通する。そして、この釣糸の先端にハリスを連結し、このハリスの先端に釣針を結びつける。これにより、浮子ウカセ釣りの仕掛けが完成する。このとき、フランジ２６の貫通孔２９の内径寸法、ライン挿通孔２７の内径寸法及び縮径リング２５の内径寸法が前述の寸法に設定されているから、浮止具が釣糸に装着されていても、当該釣糸は、上記ライン挿通孔２７を自由に挿通することができる。すなわち、この浮子本体２１は、釣糸に浮止具が装着されていても全遊動釣法に使用され得る。
【００４４】
また、上記浮子補助具２２は、次の要領でライン挿通孔２７に嵌め込まれる。すなわち、浮子補助具２２の溝４１に釣糸が挿入される。具体的には、釣糸は、溝４１の開口４２（図２参照）から栓状部３０の径方向に移動されることによって当該溝４１に挿入される。釣人は、この状態で栓状部３０を上記ライン挿通孔２７に嵌め込む。このとき、ライン挿通孔２７の壁面３８は、上記栓状部３０の周面に当接し、上記溝４１の開口４２を閉塞する。これにより、上記釣糸は、上記溝４１と上記壁面３８とにより囲繞され、当該溝４１から外れることはない。しかも、この溝４１の幅寸法ｄが前述の寸法に設定されているから、上記釣糸は、この溝４１及びライン挿通孔２７を自由に挿通することが可能であるが、上記浮止具は、この溝４１を通過することができない。つまり、上記浮止具は、浮子補助具２２を挿通することができない。したがって、この浮子補助具２２が浮子本体２１に取り付けられることにより、この釣用浮子２０は、半遊動釣法に使用され得るものとなる。
【００４５】
このように、本実施形態に係る釣用浮子２０では、釣人が浮子本体２１に浮子補助具２２を装着するだけで、この釣用浮子２０が半遊動釣法に使用され得るものとなり、また、釣人が上記浮子補助具２２を取り外すだけで、この釣用浮子２０が全遊動釣法に使用され得るものとなる。したがって、釣人は、実釣において、釣糸を切断することなく、簡単且つ迅速に仕掛けを全遊動タイプ又は半遊動タイプに切り換えることができる。
【００４６】
特に、図２が示すように、本実施形態に係る浮子補助具２２では、上記栓状部３０の基端部に指掛部３１が設けられている。したがって、釣人は、この指掛部３１を把持して簡単に浮子補助具２２を浮子本体２１に着脱することができるという利点がある。また、上記指掛部３１は、上記係合孔４３（図２参照）を備えているから、釣人は、この係合孔４３に工具等を引っ掛けて一層簡単に浮子補助具２２を浮子本体２１から取り外すことができる。
【００４７】
また、浮子補助具２２は、上記爪部３７を備えているから、当該浮子補助具２２が浮子本体２１に嵌め込まれた状態で、この爪部３７がライン挿通孔２７の壁面３８に係合する。したがって、浮子補助具２２は、浮子本体２１に確実に嵌合保持される。しかも、この爪部３７が前述のように薄肉に形成されているから、上記爪部３７は、径方向内側に弾性変形しつつ上記ライン挿通孔２７内に挿入される。具体的には、爪部３７が上記縮径リング２５に押し込まれる。そして、この爪部３７が上記段部２８に到達したときに、当該爪部３７の弾性変形が復帰し、図１において二点鎖線が示すように、当該爪部３７が上記段部２８に係合する。したがって、この爪部３７は、一層確実にライン挿通孔２７と係合することになり、その結果、浮子補助具２２がより確実に浮子本体２１に嵌合保持されるという利点がある。
【００４８】
上記爪部３７は、栓状部３０の径方向外側に突出しているから、仮に上記段部２８が省略された場合であっても、当該爪部３７がライン挿通孔２７の壁面３８に押圧され、その結果、浮子補充具２２が浮子本体２１に嵌合保持され得る。したがって、上記縮径リング２５も省略され得る。
【００４９】
ところで、上記ライン挿通孔２７に挿通された釣糸に、例えば釣用浮子２０と釣糸との絡みを防止するための部材（絡み防止部材）が取り付けられる場合がある。この場合、上記縮径リング２５の内径寸法が前述の寸法に設定されることにより、実釣中において、当該絡み防止部材が上記ライン挿通孔２７に嵌り込んでしまうことがなく、その結果、釣人は、快適な釣りを行うことができる。
【００５０】
加えて、本実施形態に係る浮子補助具２２は、前述のように、フランジ２６や縮径リング２５が設けられた浮子本体２１に着脱されるものであるが、これらフランジ２６や縮径リング２５を備えていない中通しタイプの釣用浮子にも適用され得るものであることは言うまでもない。
【産業上の利用可能性】
【００５１】
本発明は、釣用浮子及びこれに使用される浮子補助具に適用され得る。
【図面の簡単な説明】
【００５２】
【図１】図１は、本発明の一実施形態に係る釣用浮子の構造を示す一部断面分解図である。
【図２】図２は、本発明の一実施形態に係る浮子補助具の斜視図である。
【図３】図３は、図２におけるIII −矢視図である。
【図４】図４は、図２におけるIV−矢視図である。
【図５】図５は、図２におけるV− 拡大矢視図である。
【図６】図６は、従来の浮子フカセ釣りの仕掛けを模式的に示す図である。
【図７】図７は、従来の浮子フカセ釣りの仕掛けが海中に投入された状態を模式的に示す図である。
【図８】図８は、従来の浮子フカセ釣りの仕掛けが海中で安定した状態を模式的に示す図である。
【図９】図９は、潮流が速くなったときの従来の仕掛けの状態を示す模式図である。
【図１０】図１０は、従来の浮子フカセ釣りに使用される釣用浮子の構造を示す図である。
【符号の説明】
【００５３】
２０・・・釣用浮子
２１・・・浮子本体
２２・・・浮子補助具
２５・・・縮径リング
２７・・・ライン挿通孔
２８・・・段部
２９・・・貫通孔
３０・・・栓状部
３１・・・指掛部
３２・・・周面
３３・・・平坦面
３４・・・栓状部の先端部
３５・・・外周面
３６・・・平坦面
３７・・・爪部
３８・・・壁面
３９・・・頂部
４０・・・周面
４１・・・溝
４２・・・開口
４３・・・係合孔
【図１】
0004845442.tif 000002
【図２】
0004845442.tif 000003
【図３】
0004845442.tif 000004
【図４】
0004845442.tif 000005
【図５】
0004845442.tif 000006
【図６】
0004845442.tif 000007
【図７】
0004845442.tif 000008
【図８】
0004845442.tif 000009
【図９】
0004845442.tif 000010
【図１０】
0004845442.tif 000011